(57)【要約】【課題】  従来の４輪カートは、路面の凹凸が激しい場合は、進行方向に対してカートが左右に振れやすくなり、あるいは進行方向に対してつんのめりやすくなり、直進させるのが困難になるという欠点があった。また、カートの鞄や車輪がカート操作者の足に当たり、歩行がし難くなるという欠点もあった。【解決手段】  本発明では、少なくとも後輪２つを方向転換しない固定型車輪にすること、および、グリップの取り付け位置を前輪の位置よりも前方に位置させることによって、左右のふらつきをおさえる。かつまた、グリップを低位置に配置することにより、つんのめる現象を少なくするようにする。そして、グリップをカートの左端のフレームまたは右端のフレームに直結するように配置して、カート操作者の足と接触しないようにする。【選択図】図１
2012217816.tif 000002
【特許請求の範囲】
【請求項１】
カートの底面の少なくとも４隅部に４個の車輪、すなわち車輪１５（図１）を左右両隅に一個ずつ２個、および車輪１６（図１）を左右両隅に一個ずつ２個装着したカート。進行方向に向かって前方に取り付けた２個の車輪１５を前輪、後方に取り付けた２個の車輪１６を後輪と呼ぶことにする。
【請求項２】
少なくとも後輪１６（図１）の２輪は、直進方向から逸れた角度に回転することがない、常に直進方向に進む固定型車輪を装着したカート。
【請求項３】
左手でカートを操作しようとする利用者用として、進行方向に向かって右側の前輪の上方向に伸びたカートのフレーム１２（図１）と、それに直結し、進行方向斜め下に向けたグリップ１１（図１）を配置したカート、あるいは右手でカートを操作しようとする利用者用として、溝行方向に向かって左側の前輪の上方向に伸びた、カートのフレームと、進行方向斜め下に向けたグリップを配置したカート。
【請求項４】
左手でカートを操作しようとする利用者用には、図１のように鞄の進行方向右側の端のフレームにグリップを直結したカート。右手でカートを操作しようとする利用者用には、鞄の進行方向左側の端のフレームにグリップを直結したカート。
【発明の詳細な説明】
【技術分野】
【０００１】  本発明は、旅行・通勤・買い物などにおいて、運びたい物品をひとまとめにして、路面上を円滑に移動させるカートのフレームとグリップと車輪の位置関係に関する。
【背景技術】
【０００２】  方向が自在に転換する４個の車輪を路面に接触させ、車輪を回転させて路面に平行に移動させるカートが従来より多数使われている。これを図２に示す。【０００３】  この種のカートは、一般に取手２４の延長をなすグリップ２１を進行方向に押してカートを移動させる。【０００４】  しかしこの方式のカートでは、進行方向に常に直進させることが難しいことが起こりうる。とくに、路面の凹凸が激しい場合は、進行方向に対してカートが左右に振れる現象が起こりやすい。また、進行方向につんのめる現象を発生させやすい。そのため、円滑に直進させにくくなる。
【発明の概要】
【発明が解決しようとする課題】
【０００５】  以上に述べた従来の４輪カートの問題点は、つぎのようである。【０００６】  第一に、４つの車輪が方向自在の車輪であること。方向自在であるため、進行時にカートが左右に振れやすくなる。そのため、操作者は直進しようとしても、直進が円滑にできなくなる場合が往々にして起こる。【０００７】  第二に、図３のように、取手３４につけられているグリップ３１が、前輪の位置から水平方向に後方の位置に置かれていること。そのため、カート操作者の手は前輪から後方に位置するグリップを握持することになる。そして、進行方向にグリップを押すと、カートには水平方向に回転力が発生し、そのために左右に振れやすくなる。【０００８】  第三に、グリップの位置の地上高が比較的高い位置に置かれていること。そのため、進行方向にグリップを押すと、進行方向に向かう回転力が強くなり、カートと鞄は前方につんのめりやすくなる。【０００９】  第四に、図３の３１のような形状をしたグリップは、カートを進行方向に進めていくために十分適切であるとはいえないこと。この形状では、進行方向に力を加えずらい。【００１０】  第五に、図４のように（図４はカートの操作者がカートを操作しながら歩行している様を正面から見た図である）、グリップ部分が鞄の中央付近に位置していると、鞄あるいはカートの車輪が操作者の足に接触して、操作者の歩行および動作に邪魔になる場合があること。そのため、カート操作者は、円滑な、カートを移動しながらの歩行ができにくくなる。
【課題を解決するための手段】
【００１１】  上記課題［０００６］については、少なくとも後方の２輪を方向転換しない車輪（固定型車輪と呼ばれる）にし、進行方向のみに向けてカート底面に装着させる（請求項１、請求項２）。これによって、左右のふらつきを少なくすることができる。【００１２】  上記課題［０００７］については、図５のように、グリップを、前方の車輪の位置よりも前方に位置させたグリップ５１の位置にすること（請求項３）。グリップをこのように配置することによって、グリップを進行方向に押しても水平方向の回転力の発生を極力抑えることができる。その結果、カートが左右にふらつくことを減少させることができる。【００１３】  上記課題［０００８］については、グリップ５１（図５）をできるだけ低位置に配置することである（請求項３）。グリップを低位置に配置することによって、上下方向に発生する回転力を減少させることができる。
上下方向に発生する回転力を減少させるもう一つの方法は、前輪を路面の凸部分にできるだけ衝突させないことである。というのは、上下方向に回転力が発生する原因は、路面の凹凸にあり、車輪は凸面に衝突し、その反動で回転力を発生させるためである。車輪を凸面に衝突させないようにするには、前輪を地上から若干上方に持ち上げることである。路面の凹凸状況に応じて、前輪を上方に若干持ち上げることができるようにするためには、グリップを上方に持ち上げやすい位置に配置することである。グリップの位置を低くすると持ち上げやすくなる。つまり、グリップを低位置に配置することによって、つんのめることを少なくすることができる。【００１４】  上記課題［０００９］については、グリップの形状を、進行方向に十分に押すことができる形状にすべきである。一方、［００１３］の解決案を考慮すると、グリップの形状は、進行方向に引っ張りやすくかつ適時に持ち上げやすい形状がよい。それには、図６のグリップ６１のように進行方向に向かって斜め下になるような形状にすることである（請求項３）。【００１５】  上記課題［０００９］と［００１０］については、左手でカートを操作しようとする利用者用には、図７のように鞄の進行方向右側の端のフレームにグリップを直結する。右手でカートを操作しようとする利用者用には、鞄の進行方向左側の端のフレームにグリップを直結する（請求項４）。こうすることによって、足がカートや鞄に接触する可能性を少なくすることができる。
【発明の効果】
【００１６】  本発明は、カートを押していく型ではなく、引っ張っていく型である。そのため、従来の４輪カートに比べて、進行方向に対して左右の振れを少なくすることができる。また、進行方向につんのめる現象を軽減することができる。【００１７】  本発明は、グリップを鞄の進行方向に対して右端または左端に装着するため、グリップを引っ張っていくと、カートが直進せずに、左旋回または右旋回してしまうような危惧をもつかもしれない。しかし実際にはそのようにはなりにくい。というのは、カートおよび鞄自体に自重があるため、路面と車輪との摩擦は大きくなり、かつまた進行方向に固定された後方の２つの車輪を装備しているため、左旋回あるいは右旋回の発生を少なくすることができる。【００１８】  ４輪型カートに、ベビーカーとよく似た形態の手押し式のショッピングカートが従来より使用されている。これと比較すると、最も大きな相違点は手押し式ショッピングカートは両手で押さなければならないのに対して、本発明は片手で走行できることである。路面が滑らかな場合は、片手のみならず、指一本でも走行可能である。【００１９】  本発明は、固定型の車輪を少なくとも後輪に配置しているため、カートは直進するのみで、方向転換が行いにくいように思われるかもしれない。しかし、本発明は引っ張り方式であり、またそれによってカートの前輪部分を若干上方に持ち上げることができることによって、方向転換はさほど苦にならない。【００２０】  上記のような効果があるため、本発明は、旅行用・買い物用の鞄としてだけではなく、通勤用の鞄としても使用することができる。
【図面の簡単な説明】
【００２１】
【図１】本発明の実施形態を示す４輪カート（左手操作者用）の斜視図
【図２】従来多く見られる４輪カートを、人が操作している図
【図３】従来多く見られる４輪カートの斜視図
【図４】従来多く見られる４輪カートを、人が操作している図
【図５】本発明の４輪カートの元になる４輪カートの図
【図６】本発明の実施形態を示す４輪カートの斜視図（図１に等しい）
【図７】本発明の４輪カートを、人が左手で操作している図
【図８】本発明の４輪カートの実施形態の、他の１つの図
【図９】本発明の４輪カートの実施形態の、他のもう１つの図
【発明を実施するための形態】
【００２２】  以下、本発明の実施の形態として、つぎのようなものを挙げる。
【００２３】  後方の両隅に配置する２つの車輪は、固定式の車輪にする必要があるが、前方の両隅に配置する車輪は、固定式であっても、回転式であっても構わない。
【００２４】  底面に装着する車輪は、底面の４隅にそれぞれ１個ずつ、計４個配置するが、５個以上の車輪を底面に装着しても構わない。
【００２５】  グリップは、フレームで兼用してもよい。つまり、図８のように、フレームを前方に斜め下に曲げ、その部分を手で握ることができるようにしておけば、必ずしもグリップを特別に取り付ける必要はない。
【００２６】  グリップ部分とそれに直結するフレーム部分とは、図９のように前方に斜めに倒した形態にすると、さらに、つんのめることを軽減させることができる。それは、カートを引っ張る支点をさらに低位置に置くことができ、それによって、進行方向に向かう回転力をさらに弱くすることができるためである。
【符号の説明】１１，２１，３１，４１，５１，６１，７１，８１，９１  ・・・  グリップ
１２，８２，９２                                      ・・・  カートのフレーム
１３，２３，３３，４３，５３，６３，７３，８３，９３  ・・・  鞄
２４，３４，４４，７４                                ・・・  カートの取手
１５，４５，７５，８５，９５                          ・・・  車輪（前輪）
１６，２６，８６，９６                                ・・・  車輪（後輪）
【図１】
2012217816.tif 000003
【図２】
2012217816.tif 000004
【図３】
2012217816.tif 000005
【図４】
2012217816.tif 000006
【図５】
2012217816.tif 000007
【図６】
2012217816.tif 000008
【図７】
2012217816.tif 000009
【図８】
2012217816.tif 000010
【図９】
2012217816.tif 000011